(57)【特許請求の範囲】
【請求項１】
フィルターレンズ枠本体１の内径部には装着される円型フィルターレンズ２の円周部が接合可能なレンズ押さえ縁部５とフィルターレンズ嵌合部４を有しており、該レンズ押さえ縁部５により前面を係止され且つフィルターレンズ嵌合部４内に装着された円型フィルターレンズ２の背面側はフィルターレンズ枠本体１の内径部に刻設された押さえリング溝７内に圧入される高分子弾性体からなる押さえリング３により拘止されているフィルター枠において、
前記押さえリング溝７内に圧入される高分子弾性体からなる押さえリング３の形状はその断面が切欠き部１３を有したＬ字型形状体１２に形成されており、該押さえリング３の外部側で前記リング溝７内に向かって圧入する面側にはＬ字型形状体１２の先端部１４を有して、押さえリング溝７に嵌合しやすい形状としていることを特徴とするフィルター枠におけるフィルターレンズの保持機構。
【請求項２】
前記押さえリング溝７内に圧入される高分子弾性体からなる押さえリング３の形状はその断面が切欠き部１３を有したＬ字型形状体１２に形成されており、該Ｌ字型形状体１２の上部先端部１５は切欠き溝部１６を設けてフィルターレンズ２に当接する上部先端部１５を柔らかく構成して前記フィルターレンズ２の平面度が歪まない形状としていることを特徴とする請求項１に記載されたフィルター枠におけるフィルターレンズの保持機構。
【発明の詳細な説明】
【技術分野】
【０００１】
本発明は、カメラ用フィルター枠におけるフィルターレンズの保持機構に関するものである。
【背景技術】
【０００２】
デジタル一眼レフカメラにおいて、カメラレンズ鏡筒の前面に着脱自在に装着されるフィルターレンズは、光を吸収したり、透過させたり、或いは光に変化を与えるなど光を様々制御する機能を有するものである。
【０００３】
フィルターレンズの種類は、レンズ保護用フィルター、円偏光フィルター、光量調整フィルター、ソフトフォーカス用フィルター、光条効果用フィルター等あらゆる撮影目的により数多くの種類が提供されており、上記の各種フィルターに用いられるフィルターレンズは、カメラレンズ鏡筒の前面に着脱自在に装着できるような構成を有するフィルター枠内に嵌着されて保持されている。
【０００４】
斯くして、従来のカメラ用フィルター枠におけるフィルターレンズの保持機構の一例を特開２００５−３０１１７３号公報（以下、特許文献１と称する）に見ることができる。特許文献１は、各種の撮影効果を得ることのできるフィルターレンズを夫々フィルター枠本体に嵌着保持した状態でデジタルカメラの鏡筒前面に着脱自在に装着するタイプのフィルターに関するものであり、そのフィルターレンズの嵌着保持機構は、フィルター枠本体にフィルターレンズ嵌着部とレンズ押さえ内段部を設け、該フィルターレンズをフィルター嵌着部に嵌合した後、フィルターレンズをレンズ押さえバネのスプリング機構で保持している。
【０００５】
図２（Ａ）、（Ｂ）、（Ｃ）は、特許文献１、並びに従来のフィルターレンズ保持機構を説明するものであり、図２（Ａ）はフィルター枠とフィルターレンズの組み立て説明図、図２（Ｂ）はフィルター枠の要部拡大断面図、図２（Ｃ）はフィルター枠にフィルターレンズをレンズ押さえバネを用いて嵌着保持した状態をフィゾー型干渉計にて観察した状態を示している。
【０００６】
図２において、５０はフィルター枠本体、５１はフィルターレンズ、５２はフィルターレンズ押さえバネを示しており、該フィルターレンズ押さえバネ５２は、リング形状の一部に切欠部５３を設けてその直径を可変できるとともに、光軸Ｃ方向に図の如く湾曲しておりフィルターレンズ５１の押さえバネ機能を有している。フィルター枠本体５０には、フィルターレンズ５１が嵌着するレンズ嵌着部５４、レンズ押さえ内段部５５、デジタルカメラのレンズ鏡筒部前面に着脱自在に螺着するための雄ネジ５６、前記レンズ押さえバネ５２の嵌合溝部５７、他のレンズアタッチメントとの螺合連結を可能にする雌ネジ５８が設けられている。
【０００７】
そして、フィルターレンズ５１をフィルター枠本体５０のレンズ嵌着部５４に装着し、フィルターレンズ押さえバネ５２を嵌合溝部５７に嵌着して、フィルターレンズ５１を前記レンズ押さえ内段部５５とフィルターレンズ押さえバネ５２間で挟持してフィルター枠本体５０を形成している。
【０００８】
斯くして、図２（Ｃ）は、フィルター枠本体５０の背面図を示し、該フィルター枠本体５０に装着されたフィルターレンズ５１の平面度を干渉計で測定した状態を略図的に示している。そして、図２（Ｃ）においては、フィルターレンズ５１の面に曲がった干渉縞５９が観察され、該曲がった干渉縞５９が測定される原因は、折角良好な平面度を有したフィルターレンズ５１がフィルター枠本体５０への装着時に、フィルターレンズ押さえバネ５２をフィルターレンズ５２と嵌合溝部５７間に圧入、嵌合してフィルター枠本体５０内に保持しているために生じるものであり、従来のフィルターレンズ押さえバネ５２によるフィルターレンズ保持機構は、フィルターレンズ５１の平面度を大きく歪めてしまう欠点がある。
【０００９】
また、従来採用されてきたフィルターレンズの保持機構として、図３（Ａ）、（Ｂ）、（Ｃ）に示すフィルター保持機構がある。図３（Ａ）、（Ｂ）、（Ｃ）において、図３（Ａ）はフィルター枠とフィルターレンズの組み立て説明図、図３（Ｂ）はフィルター枠の要部拡大断面図、図３（Ｃ）はフィルターレンズ枠本体にフィルターレンズをレンズ押さえ環を用いて嵌着保持した状態をフィゾー型干渉計にて観察した状態を示している。
【００１０】
図３において、６０はフィルター枠本体、６１はフィルターレンズ、６２はフィルターレンズ押さえ環、６３はフィルターレンズ押さえ環の外周部に螺設された雄ネジを示しており、該フィルターレンズ押さえ環６２は、リング形状のネジ式押さえ縁を形成している。フィルター枠本体６０には、フィルターレンズ６１が嵌着するレンズ嵌着部６４、レンズ押さえ内段部６５、デジタルカメラのレンズ鏡筒部前面に着脱自在に螺着するための雄ネジ６６、前記レンズ押さえ環６２の螺合ネジ部６７、他のレンズアタッチメントとのの螺合連結を可能にする雌ネジ６８が設けられている。
【００１１】
そして、図３（Ｂ）に示す如く、フィルターレンズ６１をフィルター枠本体５０のレンズ嵌着部６４に装着し、フィルターレンズ押さえ環６２の雄ネジ６３を前記螺合ネジ部６７に螺着して、フィルターレンズ６１を前記レンズ押さえ内段部６５とフィルターレンズ押さえ環６２間で挟持してフィルター枠本体６０を形成している。
【００１２】
斯くして、図３（Ｃ）は、フィルター枠本体６０の背面図を示し、該フィルター枠本体６０に装着されたフィルターレンズ６１の平面度を干渉計で測定した状態を略図的に示している。そして、図３（Ｃ）においては、フィルターレンズ６１面に図３（Ｃ）の如く一方向に偏った曲がった干渉縞６９が観察されるが、該曲がった干渉縞６９が測定される原因は、折角良好な平面度を有したフィルターレンズ６１がフィルター枠本体６０への装着時に、フィルターレンズ押さえ環６２をねじ込むことにより、該フィルター押さえ環６２は斜めに進むことになり、フィルターレンズ６２の円周縁部に対して斜めに押圧するフィルターレンズ押さえ環６２（押さえ縁）となることにより生じるものであり、従来のフィルターレンズ押さえ環６２によるフィルターレンズの保持機構は、フィルターレンズ６１の平面度を大きく歪めてしまう欠点があった。
【先行技術文献】
【特許文献】
【００１３】
特許文献１  特開２００５−３０１１７３号公報
【発明の概要】
【発明が解決しようとする課題】
【００１４】
本発明が解決しようとする課題は、各種の加工が施されたフィルターレンズをフィルターレンズ枠本体に装着、固定する場合においてフィルターレンズの平面度が歪まない構成のフィルターレンズの保持機構を提供するものであり、また本発明は、フィルターレンズ枠本体へのフィルターレンズの装着が簡易になり、短時間で装着工程が行えることから製造コストが大幅に削減できるフィルター枠におけるフィルターレンズの保持機構を提供するものである。
【課題を解決するための手段】
【００１５】
本発明において、フィルターレンズ枠本体の内径部には、装着される円型フィルターレンズの円周部が接合可能なレンズ押さえ縁部とフィルターレンズ嵌合部を有しており、該レンズ押さえ縁部により前面を係止され且つフィルターレンズ嵌合部内に装着された円型フィルターレンズの背面側はフィルターレンズ枠本体の内径部に刻設された押さえリング溝内に圧入される高分子弾性体からなる押さえリングにより拘止されている構成のフィルターレンズの保持機構を提供して、フィルターレンズをフィルターレンズ枠本体に装着、固定する場合においてフィルターレンズの平面度が歪まないフィルター枠におけるフィルターレンズの保持機構を提供するものである。
【００１６】
本発明において、前記押さえリング溝内に圧入される高分子弾性体からなる押さえリングの形状は、その断面が厚みのあるＬ字形型状を有しており、該押さえリングの外部側で前記リング溝内に向かって圧入する面側方向にＬ字型が対向しているフィルター枠におけるフィルターレンズの保持機構を提供するものである。
【００１７】
また、前記押さえリング溝内に圧入される高分子弾性体からなる押さえリングの材質は、アクリル系樹脂、ウレタン系樹脂、フッ素系樹脂並びにシリコン系樹脂にて成型されているフィルター枠におけるフィルターレンズの保持機構を提供するものである。
【発明の効果】
【００１８】
斯くして、本発明は、各種の加工が施されたフィルターレンズをフィルターレンズ枠本体に装着、固定する場合においてフィルターレンズの平面度が歪まない構成のフィルターレンズの保持機構を提供するものであり、本発明は、上述した構成を採用することによりフィルターレンズ枠本体へのフィルターレンズの装着が簡易になり、短時間で装着工程が行えることから製造コストが大幅に削減できるフィルター枠におけるフィルターレンズの保持機構を提供可能にした。
【図面の簡単な説明】
【００１９】
【図１】（Ａ）本発明の実施例１を説明する組み立て図である。         （Ｂ）本発明の実施例１を説明する要部拡大断面図である。         （Ｃ）本発明の実施例１に用いられる押さえリングの断面形状図である。         （Ｄ）実施例１に用いられる他の押さえリング断面形状図である。
【図２】（Ａ）従来例を説明する組み立て図である。         （Ｂ）従来例を説明する要部拡大断面図である。         （Ｃ）フィルターレンズの保持状態を説明する概略図である。
【図３】（Ａ）他の従来例を説明する組み立て図である。         （Ｂ）他の従来例を説明する要部拡大断面図である。         （Ｃ）図３（Ｂ）におけるフィルターレンズの保持状態を説明する概略図である。
【発明を実施するための形態】
【００２０】
本発明は、各種の加工が施されたフィルターレンズをフィルターレンズ枠本体に装着、固定する場合においてフィルターレンズの平面度が歪まない構成のフィルターレンズの保持機構を提供するものであり、また本発明は、フィルターレンズ枠本体へのフィルターレンズの装着が簡易になり、短時間で装着工程が行えることから製造コストが大幅に削減できるフィルター枠におけるフィルターレンズの保持機構を提供するものである。
【００２１】
本発明が、適用できるフィルターレンズおよびフィルターレンズ枠の種類は、例えば、レンズ保護用フィルター、円偏光フィルター、光量調整フィルター、ソフトフォーカス用フィルター、光条効果用フィルター等あらゆる撮影目的に使用されるフィルターレンズを一般枠や二重枠構造のフィルターレンズ枠に装着、保持できるフィルターレンズ保持機構に関するもので、従来、押さえバネや押さえ環によりフィルターレンズを保持していた構成上の欠点を改良したフィルターレンズの保持機構を提供するものである。
【００２２】
斯くして、本発明において、フィルターレンズ枠本体の内径部には、装着される円型フィルターレンズの円周部が接合可能なレンズ押さえ縁部とフィルターレンズ嵌合部を有しており、該レンズ押さえ縁部により前面を係止され、且つフィルターレンズ嵌合部内に装着された円型フィルターレンズの背面側はフィルターレンズ枠本体の内径部に刻設された押さえリング溝内に圧入される高分子弾性体からなる押さえリングにより拘止されている構成のフィルターレンズの保持機構を提供して、フィルターレンズをフィルターレンズ枠本体に装着、固定する場合においてフィルターレンズの平面度が歪まないフィルター枠におけるフィルターレンズの保持機構であることが好ましい。
【００２３】
また、本発明において、前記押さえリング溝内に圧入される高分子弾性体からなる押さえリングの形状は、その断面が厚みのあるＬ字形型状を有しており、該押さえリングの外部側で前記リング溝内に向かって圧入する面側方向にＬ字型が対向している構成であることが好ましい。
【００２４】
更に、前記押さえリング溝内に圧入される高分子弾性体からなる押さえリングの材質は、アクリル系樹脂、ウレタン系樹脂、フッ素系樹脂並びにシリコン系樹脂にて成型されていることが好ましい。
【００２５】
そして、本発明は、各種の加工が施されたフィルターレンズをフィルターレンズ枠本体に装着、固定する場合においてフィルターレンズの平面度が歪まない構成のフィルターレンズの保持機構を提供するものであり、本発明は、上述した構成を採用することによりフィルターレンズ枠本体へのフィルターレンズの装着が簡易になり、短時間で装着工程が行えることから製造コストが大幅に削減できるフィルター枠におけるフィルターレンズの保持機構を提供可能にした。
【実施例１】
【００２６】
図１（Ａ）は、本発明の実施例１を説明する組み立て図、図１（Ｂ）は、実施例１を説明する要部拡大断面図、図１（Ｃ）は、実施例１に用いられる押さえリングの断面形状拡大図、図１（Ｄ）は、実施例１に用いられる他の押さえリング断面形状拡大図である。
【００２７】
図１（Ａ）（Ｂ）において、１はフィルターレンズ枠本体、２は円形のフィルターレンズ、３は高分子弾性体からなる押さえリングを示しており、フィルターレンズ枠本体１にはフィルターレンズ２が嵌着するフィルターレンズ嵌着部４、レンズ押さえ縁部５、デジタルカメラのレンズ鏡筒部前面に着脱自在に螺着するための雄ネジ６、前記押さえリング３を拘止するために刻設された押さえリング溝７、そして、他のレンズアタッチメントとの螺合、連結を可能にする雌ネジ８が設けられている。尚、図１（Ａ）、（Ｂ）において、Ｃはフィルター枠本体１の光軸、９は入射光側で前面を示し、１０はレンズ鏡筒側を示しており、入射光側９の前面に対して、鏡筒側１０は背面と称している。
【００２８】
斯くして、図１（Ｂ）において、フィルターレンズ枠本体１の内径部には、装着される円型フィルターレンズ２の円周部が接合可能なレンズ押さえ縁部５とフィルターレンズ嵌合部４を有しており、該フィルターレンズ嵌合部４にフィルターレンズ２が嵌合されると、該フィルターレンズ２の前面はレンズ押さえ縁部５により係止される。
【００２９】
次にフィルターレンズ嵌合部４内に装着されたフィルターレンズ２の背面側にはフィルターレンズ枠本体１の内径部に刻設された押さえリング溝７が設けてあり、該押さえリング溝７内には高分子弾性体からなる押さえリング３が圧入されて嵌合する構成で、前記押さえリング３はフィルターレンズ２の円周部を均一な圧力で拘止可能であり、円形のフィルターレンズ２をフィルターレンズ枠本体１に装着、固定する場合においてフィルターレンズ２の平面度が歪まないフィルター枠におけるフィルターレンズの保持機構が提供できる。
【００３０】
而して、図１（Ｃ）、（Ｄ）は、実施例１に用いられる押さえリング３の断面形状拡大図であり、図１（Ｂ）（Ｃ）において、フィルターレンズ枠本体１の内径部には装着される円型フィルターレンズ２の円周部が接合可能なレンズ押さえ縁部５とフィルターレンズ嵌合部４を有しており、該レンズ押さえ縁部５により前面を係止され且つフィルターレンズ嵌合部４内に装着された円型フィルターレンズ２の背面側はフィルターレンズ枠本体１の内径部に刻設された押さえリング溝７内に圧入される高分子弾性体からなる押さえリング３により拘止されているフィルター枠である。
【００３１】
そして、前記押さえリング溝７内に圧入される高分子弾性体からなる押さえリング３の形状はその断面が切欠き部１３を有したＬ字型形状体１２に形成されており、該押さえリング３の外部側で前記リング溝７内に向かって圧入する面側にはＬ字型形状体１２の先端部１４を有して、押さえリング溝７に嵌合しやすい形状としているフィルター枠におけるフィルターレンズの保持機構である。
【００３２】
また、同様に図１（Ｄ）において、前記押さえリング溝７内に圧入される高分子弾性体からなる押さえリング３の形状はその断面が切欠き部１３を有したＬ字型形状体１２に形成されており、該Ｌ字型形状体１２の上部先端部１５は切欠き溝部１６を設けてフィルターレンズ２に当接する上部先端部１５を柔らかく構成して前記フィルターレンズ２の平面度が歪まない形状としているフィルター枠におけるフィルターレンズの保持機構でもある。
【００３３】
そして、押さえリング溝７内に圧入される高分子弾性体からなる押さえリング３の材質は、アクリル系樹脂、ウレタン系樹脂、フッ素系樹脂並びにシリコン系樹脂により成型されている。
【００３４】
斯くして、本発明は、各種の加工が施されたフィルターレンズ２をフィルターレンズ枠本体１に装着、固定する場合においてフィルターレンズ２の平面度が歪まない構成のフィルターレンズ２の保持機構を提供するものであり、本発明は、上述した構成を採用することによりフィルターレンズ枠本体１へのフィルターレンズ２の装着が簡易になり、短時間で装着工程が行えることから製造コストが大幅に削減できるフィルター枠におけるフィルターレンズの保持機構を提供可能である。
【符号の説明】
【００３５】
１  フィルターレンズ枠本体
２  フィルターレンズ
３  押さえリング
４  フィルターレンズ嵌着部
５  レンズ押さえ縁部
６  雄ネジ
７  押さえリング溝
８  雌ネジ
９  入射光側
１０  レンズ鏡筒側
１２  Ｌ字型形状体
１３  切り欠き部
１４  先端部
１５  上部先端部
１６  切欠き溝部
Ｃ  光軸
【図１】
0005614787.tif 000002
【図２】
0005614787.tif 000003
【図３】
0005614787.tif 000004